(57)【要約】【課題】頭部における広範囲部位の日除け並びに顔全体を覆い隠し日除け及び他人の目を気にせずに睡眠等が取れる着脱簡易なる顔隠しを兼ねる日除けを安価に提供する。【解決手段】頭囲に合うC字形状の弾性支持体１に、日除け垂れ２を設ける。【選択図】図２
2005120496.tif 000002
【特許請求の範囲】
【請求項１】
竹、木等の植物、合成樹脂、金属等等をもちいてつくるところの頭囲に合うC字形状の弾性支持体（１）に、天然繊維、化学繊維、金属等等をもちいてつくるところの日除け垂れ（２）を設けたことを特徴とする顔隠しを兼ねる日除け。
【発明の詳細な説明】
【技術分野】
【０００１】
本発明は、顔隠しを兼ねる日除けに関する。
【背景技術】
【０００２】
後頭部等の日除けに関する従来技術として、帽子と日除け部材を一体として使用するときのみ後頭部・後頸部の日除けを可能とするもの及び両頬から後頭部・後頸部にいたる広範囲部位の日除けを可能とするものがあった（特許文献１、２、非特許文献１参照）。
【０００３】
またサンバイザーのひさしの根元中央に面ファスナーで二等辺三角形のスカーフを留め置くようにし、そのスカーフの両端を顎の下で結び、ほぼ頭部全体と後頸部の日除けを可能とするものもあった（特許文献３参照）。
【０００４】
さらにまた、太陽紫外線を透過しにくい透明フィルムを円筒状にしたものの上端に紐あるいはゴム紐を通して、帽子の上からすっぽり被り、紐結び等で留め置くようにして頭部全体と首の太陽紫外線よけをするもの及びほぼ扇状の布の上縁に伸縮自在の紐等をつけて伸縮自在としたものに、さらにその両端に紐あるいは伸縮自在の紐を取り付け、これを連結して、帽子の上に留め置くようにして両頬から後頭部・後頸部の広範囲部位の日除けを可能にするものがあった（特許文献４、５参照）。
【０００５】
乗物等の座席で両眼等を覆い睡眠に供しようとする従来技術としては、旅行グッズ店等で販売される眼鏡を二回りくらい大きくした化学繊維布等でつくられたアイマスク他それに類似する従来技術があった（特許文献６、７参照）。
【０００６】
また、顔をじゅうぶんに覆うスカーフ生地、ハンカチ生地等の上辺に帯を設け、この帯を頭にまわして仮眠等に供しようとするものがあった（特許文献８参照）。
【０００７】
【特許文献１】特開２００１−１４６６２１号公報
【特許文献２】実開平０７−０３３９４２号公報
【特許文献３】実開平０１−１４１７３２号公報
【特許文献４】特開平０７−２０７５１３号公報
【特許文献５】実用登録第３０５９３９７号公報
【特許文献６】実開平０６−０６４６２７号公報
【特許文献７】実開平０４−０４０６２２号公報
【特許文献８】実開昭５９−１４９９２９号公報
【非特許文献１】「SPRING CATALOG ２００３」P２〜３  UVバスターズ（福岡県宗像郡福間町花見が丘１−８−３７  電話番号０９４０−３８−４０４３）
【発明の開示】
【発明が解決しようとする課題】
【０００８】
福音館出版の２００２年７月号「母の友」P２３に、「オゾン層の破壊が、今世紀半ばまで続くと言われています」とある。東北大学医学部皮膚科教授、田上八郎監修の双葉社出版「紫外線から子どもを守る本」目次中の親見出し子見出しを見てみると「オゾン層が１％破壊されると有害紫外線が２％増加、皮膚ガンが３〜４％増加」とあり、「子どもほど紫外線をたくさん受けている」「一生で浴びる紫外線の半分の量を１８歳までに浴びてしまう」「子どもは大人にくらべて紫外線に対する感受性が強いために、同じ量の紫外線を浴びても影響が大きい」とあり、太陽紫外線による具体的な病変等について、「UVBは皮膚ガンの原因になるだけではない。目にも害を与える」「紫外線は白内障の危険度を高める」「紫外線に当たると体内に毒性の強い活性酸素ができる」「紫外線は免疫機能を低下させ、病気にかかりやすくする」とある。
【０００９】
このようであるから、人類はその肌の色・瞳の色に関係なく太陽紫外線を極力避けなければならない。次代を担う子どもたちには特に避けさせなければならない。例えば加齢現象として高齢になって起こってくる白内障に、もし働き盛りの三十代でなるようなことでもあれば本人はもちろん不幸であるし、国家も不幸である。
【００１０】
そこで本発明者は、頭部を広範囲に日除けするものを考え試作品をつくってみた。弾性支持体として竹を選んだ。日除け垂れには１００円で購入してきた綿の広めのバンダナをもちいた。竹を焦がさないよう曲げるのにじゅうぶん注意し、１時間ほどを要してできあがった試作品は、野球帽子（キャップには種種のものがあるので、野球選手が被っているかたちのような帽子と言う意味で、この言葉を使う）を被った頭部を心地よく挟み、両頬から後頭部・後頸部にいたる広範囲部位を日除けし、おしゃれなものであった。家の中で使っているうちに、顔を覆い睡眠を取ったりするときに圧迫感もなく使えることがわかった。遮光が可能なために安まるのである。
【００１１】
このような経緯を経て、従来技術にあたってみたが、従来技術には種種の問題点があった。その問題点とは、高価であったり、街中では恥ずかしくて着用できそうになかったり、子どもには着用が容易でなさそうであったり、着用すると危険そうであったり、劣化しやすい部材を使用しているがために日除け範囲が狭くなってきたり、圧迫感があったり、等等の問題点である。
【００１２】
本発明は、以上のような問題点を解消していると考える。以下に、背景技術に取り上げた従来技術のそれぞれの問題点を詳細にしておく。
【００１３】  特許文献１、２、非特許文献１の従来技術は、帽子本体と日除け部材との一体使用を強いられている。よって価格は２,０００円〜４,５００円と非常に高価になる問題があった。このように高価だと、頭部の広範囲の日除けを心がけなさいと啓発しても普及は進捗しない。それに帽子本体のふくらみやデザインを誰もが気に入るとは思えない。なぜなら人の顔かたち・好みは千差万別であるからである。また、親が子供のためにこの従来技術の帽子を購入してやっても、「いやだ。ぼくはこの（公序良俗違反につき、不掲載）の帽子のほうがいい」と、せっかくの高い買い物が無駄になってしまうことも考えられる。日除けはしたいが、できるだけ似合う帽子を被りたいと願うのは人情である。【００１４】
また特許文献１の従来技術は７つの請求項を持ち、その主旨は概ね日除けカバー等に保冷材を仕込み、これによって後ろ首筋の日除けをし、且つ涼感を得ようとするものである。保冷材には、水を浸透させて使用することになっている。しかし日除けカバーにわざわざ保冷材を仕込ませたりする必要があるのだろうか。後ろ首筋には例えば、大後頭神経が後頭部の皮膚の知覚をつかさどるために首の奥から皮下に現れてくる。脳に栄養を送る椎骨動脈等が通っている。重い頭を頸椎と共に支える筋肉群がある。一般に皮膚や筋肉は温めると気持ちがよい。神経・血管等の機能が円滑となるからであろう。本発明者は、堅く絞ったタオルを後ろ首筋に当ててみた。気持ちがいいとは思えなかった。夏服に、ハイネックのシャツが売られていたりする。本発明者は、Tシャツで外を歩くとき風があると首筋に寒いような頼りないような感じを持つ。年のせいかもしれないが、価格をはね上げるこのような装置を設ける必要はないかのように思える。さて、その７つ目の発明の構成は他の請求項の構成とは異なる。これは、ヘヤーバンドに日除けカバーを取り付けたもので、これを頭にそのままあるいは帽子の上から着用するようになっている。ヘヤーバンドと日除けカバーには保冷材が仕込まれている。このことを除けば特許文献５の構成と類似しているのであるが、ヘヤーバンドを使用しているために額や頭髪にその跡が強く残るはずである。また、ヘヤーバンドにはゴムが編み込まれているから劣化しやすい。さらにまた、ヘヤーバンドだと着用しているとき、頭の格好が悪くなったように見える。つまり見栄えが悪くなる。
【００１５】
本発明者宅では、特許文献３の従来技術品を３〜４年前に購入していて、配偶者が庭仕事をするときに用いている。軽くて蒸れることもなく、頭部ほぼ全体と後頸部の日除けを可能とするサンバイザー型帽子である。しかしその日除け部材のスカーフの両端を顎の下に結んで実際に被ってみた姿は、姉さんかぶりのようで、とても街中で着用することはできない。園芸・農作業時にはよろしかろう。また、この従来技術品をサッカーやラグビー等を観戦するときに被ったとすると、後ろにいる人の視界を妨げる。そして子どもには着用が難しい。この従来技術は顔全体を覆って座席等で睡眠を取ろうとするときに供するのは不適任である。
【００１６】
特許文献４の従来技術は、例え紫外線をカットすることができても赤外線は透過してしまうから温室効果で蒸し暑くなるはずである。また、たとえ透明フィルムであっても目の前にこのようなものが存在するとき視界はあやふやなものとなり非常に危険である。そしてまた、これを着用して外を歩くとき果たして他人は奇異な目で見ないだろうか。
【００１７】
本発明者は、特許文献５の考案が商品化されているものと仮定して、考案者に商品名と販売先を尋ねる手紙を平成１５年９月２１日に出した。すると同年９月２９日に返信が届いた。それには、商品名、販売することができなかったこと、考案品のことはすっかり忘れていたこと、３枚残っていたうちの１枚を差し上げます等の回答があり、ていねいな縫製のレース地の考案品が同封されていた。本発明者は、早速これを野球帽子の上に着用してみた。縫製から時間が経っているからであろう、扇状の上縁に縫いつけてある平型ゴム紐と、その両端の平型ゴム紐がゆるんでいた。そのために考案者が当初予定していたであろう日除け範囲より狭くに後退していた。いただいた考案品は、縫製されてからずっとタンスの中等にしまわれていたものと思われる。このようにゴムというものは使用していなくとも劣化してしまうものである。消費者は、妥当と思われる期間を経ての劣化であれば苦情を言わないが、ゴムが本発明の弾性支持体に比べて数等早く劣化することは間違いない。また、これを野球帽子の上に着用するとき必ずと言っていいほどセッティングの位置がぴたりとこない。ゴム紐部分が帽子の下にきたり、ひさしの中央から少しずれたりする。大人にはなんでもないことだろうが、子どもには難儀する。
【００１８】
特許文献６、７の従来技術は、両眼部だけを覆い睡眠に供しようとするものだが、これらのものは、口を開けた寝顔を見られてしまうし、両眼辺りに圧迫感がある。言うまでもないがこれらの従来技術では後頭部・後頸部等の日除けはできない。
【００１９】
特許文献８の従来技術は、考案者が言う頭周部止結帯が後頭骨の隆起するところと座席との間にくる。睡眠中といえども体も頭も動くのでこの頭周部止結帯がずれ上がってしまう虞がある。これは、強く締めつけても解消されないであろう。
【課題を解決するための手段】
【００２０】
竹、木等の植物、合成樹脂、金属等等をもちいてつくるところの頭囲に合うC字形状の弾性支持体に、天然繊維、化学繊維、金属等等をもちいてつくるところの日除け垂れを設ける。
本発明は、以上の構成よりなる顔隠しを兼ねる日除けである。
【発明の効果】
【００２１】
本発明は、
（イ）簡素なる構成のその一つの発明品でもって、両頬から後頭部・後頸部の広範囲部位の日除けができたり、圧迫感もなく顔全体を隠して遮光し他人の目から寝顔を見られず睡眠を取ったり日除けをしたりすることができる。
（ロ）本発明品を図２のように着用するとき、その日除け範囲は相当広くなり目に回り込んできたりする太陽紫外線をも減ずることができる。
（ハ）顔全体を覆い睡眠を取るとき、円環の一部が欠落したC字形状の弾性支持体であるがために後頭骨の隆起している辺りに障害物が来ず、座席にもたれるときにもずり上がったりせず、違和感を覚えたりすることもない。
（ニ）弾性支持体を左右にわずかに開くだけの作業なので、子どもでも簡単にいま被っている野球帽子にセッティングでき、運動時もずれることなく安全に着用できる。
（ホ）弾性支持体が、円環の一部が欠落したC字形状の構造ゆえに、これに日除け垂れを設ける作業が容易である。
（ヘ）弾性支持体がゴム紐等に比べ数等劣化しにくいので、日除け垂れが破けたりしない限り長い間使用することができる。
（ト）日除け垂れが、頭全体から大きくはみ出すようにふくれあがることもないので、サッカーやラグビー等を観戦するとき着用したままでも後ろに座る人の視界を妨げたりはしない。街中においても気恥ずかしくなく着用できる。
（チ）本発明者の試作品から推測できるように安価に提供することができる、等等である。
【発明を実施するための最良の形態】
【００２２】
以下に、本発明の実施をするための最良の形態を実施例となる図面を参照して説明する。
（イ）頭囲に合うC字形状の弾性支持体１に、日除け垂れ２を設ける。この弾性支持体１    の両端のそれぞれが図２にあるように、野球帽子のひさしの端から約三分の一辺りまでは届いて欲しい。当然日除け垂れ２もこれに合わせた長さとなる。図２のようだと発明の効果に記載したように目に回り込んでくる太陽紫外線を減ずることができる。ただ、これほどのものだと例えば野球の投手をしている者には横目が利かずに盗塁されてしまう虞がある。彼らのような者のためには、弾性支持体１の両端が帽子のひさしの左右端くらいのところで終わる短いものとして、これに合わせた日除け垂れ２とすればよいであろう。
（ロ）弾性支持体１は、竹、木等の植物、合成樹脂、金属等等をもちいてつくる。竹、木、金属等を芯材として、これを合成樹脂等で被い包んだものとしてもよい。できうる限り環境に配慮したものをもちいて欲しい。トウモロコシから土に還る合成樹脂が開発されている。現時点では割高ではあるが、このようなものがもちいられることは望ましい。日常生活のなかで普通に使用するとき、体温、日差し、気温、湿度等に影響を受けて弾性がゆるんだりすることがないようにつくる。弾性支持体１の周縁の角はまるく落としたりして、危険がないよう安全に配慮したものとする。
（ハ）日除け垂れ２は、天然繊維、化学繊維、金属等等、あるいはこれらを混合したものをもちいてつくる。UVカット加工や雨をはじく加工、夜間に反射したり発光したりする加工、しわになりにくい加工等等を施すのは望ましい。肌にべとついたりすることがないようなものとする。
（ニ）日除け垂れ２は、少しくらいの風ではひるがえらないよう、布の重さ等を考慮することが望ましい。日除け垂れ２の長さは、図２のようにTシャツの丸首襟に余裕をもってかかるほどが望ましいが、首をスムーズに動かせるよう布の性質や重さ等を勘案して決定するのが最良である。
（ホ）日除け垂れ２には、人気キャラクターをプリント等するのも望ましい。めんどくさがる子どもが喜んで着用してくれる。スポーツ用品メーカー等のシンボルマーク、ロゴマーク等をプリント等するのも望ましい。その企業の宣伝になるし、おしゃれなものとして着用する人も増える。それはすなわち、有害太陽紫外線を浴びる人が少なくなるということである。小中高校生等のためには、日除け垂れ２に校章や学校のスローガン等をプリント等してもよい。
（ヘ）学校では紅白の帽子を使う。これに合わせた本発明品の紅白のものは、学校が一括購入して全生徒で共有して使用すれば無駄がなく経済的である。
（ト）スズメバチや蚊は、黒色を標的に攻撃してくる。であるからして、日除け垂れ２を黒っぽい布で製品化する場合には、その色のものでスズメバチが棲むような森等へは行かないよう、その日除け垂れ２そのものに注記を入れておくことが望ましい。そういう注記がない場合、森の中へ昆虫採集に行った子どもが、あるいは林の中に打ち込んだボールを探しに行ったゴルファーが、スズメバチに襲われて命を失う虞がある。
（チ）冬の太陽紫外線も極力避けなければならない。冬季の日除け垂れ２には、例えばすてきな柄のキルティング布や毛布等をもちいてもよい。おしゃれであるし両耳の防寒にも役立つ。
（リ）弾性支持体１に日除け垂れ２を設ける方法は幾つか考えられる。日除け垂れ２の上端を縫着して管状とし、これに弾性支持体１が入るという方法がある。これは弾性支持体１が、円環の一部が欠落しているC字形状の構造ゆえに手間取らずに好都合にできる方法である。そしてその管の両端を縫着して閉じてしまう。これが最も材料コスト、製造コストを抑える選択であろう。あるいは管の両端を縫着せずに、ボタンやホック、面ファスナー等で閉じたり開いたり自由に出来るようにすれば、日除け垂れ２から弾性支持体１を抜き取れ、汚れた日除け垂れ２だけを洗うことができる。このようにすれば紅白とした日除け垂れ２の場合、運動会等で紅組や白組に決まってから紅白の帽子に自由に合わせることができる。もっとも、日除け垂れ２の上端の管を、弾性支持体１がその中で余裕をもって動かせるほどの太さにすれば、その日除け垂れ２をリバーシブルで使うことは可能となる。他に、面ファスナーやホック等をもちいて、弾性支持体１に日除け垂れ２を設けるとする方法等等がある。
（ヌ）本発明品の日除け垂れ２に、例えばビール会社のロゴやコピーをプリントした紙等をもちいて販売促進用に配布したりしてもいいだろう。頭部の日除けができれば、ビールの売り上げが増すかも知れない。また日除け垂れ２に、目が密になっている紙のようなものが使われると本発明品は一種の集音器のようになって顔の向く方向の音をよく聞くことができ、いま観戦するゲームをさらに楽しめるだろう。
（ル）「オゾン層破壊」というタイトルの本がある。平成７年９月２５日発行の環境庁地球環境部が監修したものである。この本の第２章「人体への影響」では、太陽紫外線の怖さが事細かに記述されている。しかし街中では、帽子も被らず、サングラスもかけず、肩も太股も露出している人を多く見かける。学童たちは有害太陽紫外線下で数十年前と変わらないままに登下校し、校庭を走り回っている。黄色人種には太陽紫外線の悪影響などあり得ないかのように。日本国は、なぜ太陽紫外線の怖さを国民に強く知らしめないのであろうか。０００８で「オゾン層の破壊が、今世紀半ばまで続くと言われています」と引いた。ほんとうに「今世紀半ばまで」であろうか。平成１５年９月２７日の西日本新聞朝刊４面に「史上２位の特大オゾンホール」という見出しの記事が載った。オゾンホールというのは、成層圏のオゾンがほとんどなくなることである。この広さが、南極大陸のほぼ二倍になったという報であった。南極大陸に近接しているオーストラリアでは、太陽紫外線対策が厳格に行われている。フランスでは、太陽紫外線が多い日には外出を控えるよう、校庭に出ないよう強い口調で指示していると仄聞する。本発明者は、日本人の国民性諸諸のことを勘案して、本発明品はまず欧米にて発売するのが良かろうと考える。諸外国に広まれば、日本人は目を覚まし購入を急ぐであろう。
本発明品を使用するときには、野球帽子の上に纏えば図２のようになるわけだが、こうするには弾性支持体１を両手に持ってゆるく左右に開き、被った帽子を挟むようにする。図３は帽子を被らずに顔全体を覆い隠すように本発明品を使用する図であるが、この場合も同様のやり方でよい。
本発明品を子どもたちが、登下校・遊戯時等に既に所有している野球帽子３等に纏わせて着用すれば、両頬から後頭部・後頸部の広範囲部位の日除けができる。自らが被る野球帽子等のひさしが大きなものであれば、相当広い部位の日除けが可能となる。こうすると反射したり回り込んだりして目に入ってくる有害太陽紫外線を相当カットできるであろう。こうしたことに加えて、太陽紫外線をカットする眼鏡の着用を教育機関が義務付けたりすれば尚更よい。
本発明品は、ゴルフや野球等をプレーあるいは観戦するとき等でも日除け対策として手軽に利用できる。本発明品を着用していても視野をそれほど妨げない。日除け垂れ２の目が密でない限り音の聴取を妨げない。後部座席に座る人の視界も妨げない。
本発明品は、自動車の運転をするときにも利用すべきである。自動車のドア窓から差し込む日差しは顔の片方だけを多く日焼けさせるし、運転に支障を来す危険な場合がある。眼鏡着用者には尚更である。安全運転のためにも本発明品を着用して欲しい。
本発明品は、海辺で顔全体の日除けや寝顔を見られず睡眠を取ったりするときにも利用して利益は大である。飛行機や新幹線、自動車のような乗物の中でも同様である。乗物での移動を多くするテレビ等に顔を出す人々には特に重宝すると考える。
【図面の簡単な説明】
【００２３】
【図１】C字形状の弾性支持体の斜視図である。
【図２】本発明品を既に所有している野球帽子の上に着用したところの斜視図である。
【図３】本発明品で顔を覆ったところの正面図である。
【符号の説明】
【００２４】
１  C字形状の弾性支持体
２  日除け垂れ
３  既に所有している野球帽子
【図１】
2005120496.tif 000003
【図２】
2005120496.tif 000004
【図３】
2005120496.tif 000005